(57)【要約】【課題】食品に焦げ目をつけることができ、冷凍食品の調理時間短縮及び加熱ムラ防止を図ることのできる電子レンジ加熱用紙容器を提供する。【解決手段】筒状の胴部３と、胴部３の下面を閉じる底面部２と、胴部３及び底面部２により形成される有底筒状の収納部１６とを備え、紙層３１を含む積層体により形成される電子レンジ加熱用紙容器１において、積層体がマイクロ波の照射により発熱する発熱層３３を紙層３１の内面側に配した発熱部Ｈ１と、発熱層３３を非形成の非発熱部Ｈ２とを有し、発熱部Ｈ１が収納部１６に面した最内の積層体のみに配されるとともに底面部２及び胴部３の少なくとも一方に配される。【選択図】図２
2019142563.tif 000002
【特許請求の範囲】
【請求項１】
筒状の胴部と、前記胴部の下面を閉じる底面部と、前記胴部及び前記底面部により形成される有底筒状の収納部とを備え、紙層を含む積層体により形成される電子レンジ加熱用紙容器において、前記積層体がマイクロ波の照射により発熱する発熱層を前記紙層の内面側に配した発熱部と、前記発熱層を非形成の非発熱部とを有し、前記発熱部が前記収納部に面した最内の前記積層体のみに配されるとともに前記底面部及び前記胴部の少なくとも一方に配されることを特徴とする電子レンジ加熱用紙容器。
【請求項２】
前記底面部及び前記胴部上に前記発熱部が配されることを特徴とする請求項１に記載の電子レンジ加熱用紙容器。
【請求項３】
前記胴部の上面を開閉する蓋部を備え、前記胴部の上端部及び前記蓋部が前記非発熱部により形成されることを特徴とする請求項１または請求項２に記載の電子レンジ加熱用紙容器。
【請求項４】
前記積層体が前記底面部を形成する多角形の底面板と、前記底面板の各辺から折曲により立設して前記胴部を形成する複数の側面板と、隣接する前記側面板を連結するとともに前記底面板の頂点から延びる折り線上で二つ折りして前記側面板の外面上に配される複数の折込片とを備え、前記折込片が前記非発熱部により形成されることを特徴とする請求項１〜請求項３のいずれかに記載の電子レンジ用紙容器。
【請求項５】
前記積層体が前記底面部を形成する多角形の底面板と、前記底面板の各辺から折曲により立設して前記胴部を形成する複数の側面板とを備え、前記発熱部が配された面の周部の前記発熱部の面積占有率が中央部の前記発熱部の面積占有率よりも小さいことを特徴とする請求項１〜請求項３のいずれかに記載の電子レンジ加熱用紙容器。
【請求項６】
前記発熱部が配された面の周部が前記非発熱部により形成されることを特徴とする請求項５に記載の電子レンジ加熱用紙容器。
【請求項７】
前記積層体が前記底面部を形成する多角形の底面板と、前記底面板の各辺から折曲により立設して前記胴部を形成する複数の側面板とを備え、前記発熱部が配された面の周部の前記発熱部の単位面積当たりの発熱量が中央部の前記発熱部の単位面積当たりの発熱量よりも小さいことを特徴とする請求項１〜請求項３のいずれかに記載の電子レンジ加熱用紙容器。
【請求項８】
前記発熱部が前記紙層の内面上に形成される多数の微小凹部を有することを特徴とする請求項１〜請求項７のいずれかに記載の電子レンジ用紙容器。
【請求項９】
前記積層体が内面上に配される樹脂フィルムの保護層を有し、前記発熱層が前記保護層に印刷される導電性のインキから成ることを特徴とする請求項１〜請求項８のいずれかに記載の電子レンジ用紙容器。
【請求項１０】
前記積層体が内面上に配される樹脂フィルムの保護層を有し、前記発熱層が前記保護層に形成された金属を含む蒸着膜から成ることを特徴とする請求項１〜請求項８のいずれかに記載の電子レンジ用紙容器。
【発明の詳細な説明】
【技術分野】
【０００１】
本発明は、内容物を収納して電子レンジにより加熱される電子レンジ加熱用紙容器に関する。
【背景技術】
【０００２】
従来の電子レンジ加熱用紙容器は特許文献１に開示される。この電子レンジ加熱用紙容器は一枚のシート材を折り曲げて形成され、矩形の底面板から複数の側面板が立設される。対向する一対の側面板にはそれぞれ蓋部が連設され、側面板から蓋部を折曲して電子レンジ加熱用紙容器の上面が開閉される。
【０００３】
内容物を収納した電子レンジ加熱用紙容器は蓋部を開いた状態または閉じた状態で電子レンジによりマイクロ波加熱される。所定時間が経過すると電子レンジが停止され、内容物の調理が完了する。
【先行技術文献】
【特許文献】
【０００４】
【特許文献１】特開２００８−６８８８５号公報（第５〜第８頁、第６図）
【発明の概要】
【発明が解決しようとする課題】
【０００５】
マイクロ波加熱による調理は内容物の食品に焦げ目をつけることができないため、調理の選択肢が狭められる。このため、電子レンジにより焦げ目をつける調理をできることが望まれる。
【０００６】
また、内容物が冷凍食品の場合は各側面板及び底面板の境界の稜線上から内容物が溶解しやすく、マイクロ波が溶解した水に集中して稜線近傍が集中的に加熱される。このため、内容物の内部が加熱されるまでに時間がかかり調理時間が長くなるとともに、加熱ムラが生じる問題があった。
【０００７】
本発明は、食品に焦げ目をつけることができ、冷凍食品の調理時間短縮及び加熱ムラ防止を図ることのできる電子レンジ加熱用紙容器を提供することを目的とする。
【課題を解決するための手段】
【０００８】
上記目的を達成するために本発明は、筒状の胴部と、前記胴部の下面を閉じる底面部と、前記胴部及び前記底面部により形成される有底筒状の収納部とを備え、紙層を含む積層体により形成される電子レンジ加熱用紙容器において、前記積層体がマイクロ波の照射により発熱する発熱層を前記紙層の内面側に配した発熱部と、前記発熱層を非形成の非発熱部とを有し、前記発熱部が前記収納部に面した最内の前記積層体のみに配されるとともに前記底面部及び前記胴部の少なくとも一方に配されることを特徴としている。
【０００９】
この構成によると、電子レンジによる調理が開始されると内容物がマイクロ波により加熱される。また、マイクロ波により発熱層が発熱し、内容物が発熱層の輻射熱により周囲から加熱される。
【００１０】
また本発明は上記構成の電子レンジ加熱用紙容器において、前記底面部及び前記胴部上に前記発熱部が配されることを特徴としている。
【００１１】
また本発明は上記構成の電子レンジ加熱用紙容器において、前記胴部の上面を開閉する蓋部を備え、前記胴部の上端部及び前記蓋部が前記非発熱部により形成されることを特徴としている。
【００１２】
また本発明は上記構成の電子レンジ加熱用紙容器において、前記積層体が前記底面部を形成する多角形の底面板と、前記底面板の各辺から折曲により立設して前記胴部を形成する複数の側面板と、隣接する前記側面板を連結するとともに前記底面板の頂点から延びる折り線上で二つ折りして前記側面板の外面上に配される複数の折込片とを備え、前記折込片が前記非発熱部により形成されることを特徴としている。
【００１３】
また本発明は上記構成の電子レンジ加熱用紙容器において、前記積層体が前記底面部を形成する多角形の底面板と、前記底面板の各辺から折曲により立設して前記胴部を形成する複数の側面板とを備え、前記発熱部が配された面の周部の前記発熱部の面積占有率が中央部の前記発熱部の面積占有率よりも小さいことを特徴としている。
【００１４】
また本発明は上記構成の電子レンジ加熱用紙容器において、前記発熱部が配された面の周部が前記非発熱部により形成されることを特徴としている。
【００１５】
また本発明は上記構成の電子レンジ加熱用紙容器において、前記積層体が前記底面部を形成する多角形の底面板と、前記底面板の各辺から折曲により立設して前記胴部を形成する複数の側面板とを備え、前記発熱部が配された面の周部の前記発熱部の単位面積当たりの発熱量が中央部の前記発熱部の単位面積当たりの発熱量よりも小さいことを特徴としている。
【００１６】
また本発明は上記構成の電子レンジ加熱用紙容器において、前記発熱部が前記紙層の内面上に形成される多数の微小凹部を有することを特徴としている。
【００１７】
また本発明は上記構成の電子レンジ加熱用紙容器において、前記積層体が内面上に配される樹脂フィルムの保護層を有し、前記発熱層が前記保護層に印刷される導電性のインキから成ることを特徴としている。
【００１８】
また本発明は上記構成の電子レンジ加熱用紙容器において、前記積層体が内面上に配される樹脂フィルムの保護層を有し、前記発熱層が前記保護層に形成された金属を含む蒸着膜から成ることを特徴としている。
【発明の効果】
【００１９】
本発明によると、マイクロ波の照射により発熱する発熱層を紙層の内面側に配した発熱部が底面部または胴部に配される。このため、内容物がマイクロ波により加熱されるとともに発熱層の輻射熱により周囲から加熱される。これにより、食品に焦げ目をつけることができるとともに、冷凍食品の調理時間を短縮して加熱ムラを防止することができる。また、発熱部が収納部に面した最内の積層体のみに配されるため、発熱層が重ねられず、過加熱による積層体の発火を防止することができる。
【図面の簡単な説明】
【００２０】
【図１】本発明の第１実施形態の電子レンジ加熱用紙容器を示す斜視図
【図２】本発明の第１実施形態の電子レンジ加熱用紙容器を開いた状態を示す斜視図
【図３】本発明の第１実施形態の電子レンジ加熱用紙容器のブランク板を示す平面図
【図４】本発明の第１実施形態の電子レンジ加熱用紙容器のブランク板の層構成を示す断面図
【図５】本発明の第２実施形態の電子レンジ加熱用紙容器のブランク板を示す平面図
【図６】本発明の第３実施形態の電子レンジ加熱用紙容器のブランク板を示す平面図
【図７】本発明の第４実施形態の電子レンジ加熱用紙容器のブランク板の層構成を示す断面図
【発明を実施するための形態】
【００２１】
＜第１実施形態＞
以下に図面を参照して本発明の実施形態を説明する。図１は第１実施形態の電子レンジ加熱用紙容器の斜視図を示している。図２は電子レンジ加熱用紙容器１の蓋部４を開いた状態を示す斜視図である。電子レンジ加熱用紙容器１（以下、「紙容器１」という）は紙層３１（図４参照）を含む積層体から成る一枚のブランク板３０（図３参照）を折曲して形成され、食品等の内容物を収納する。
【００２２】
紙容器１は筒状の胴部３の下面を底面部２（図３参照）により閉じられ、内容物を収納する有底筒状の収納部１６が形成される。胴部３の上面は蓋部４により開閉される。底面部２は矩形に形成され、胴部３は対向する一対の側面板６及び対向する一対の側面板７により形成される。蓋部４は各側面板７の上端に連設される上面板８及び上面板９により形成される。
【００２３】
隣接する側面板６と側面板７との間は折込片１１により連結される。折込片１１は二つ折りされ、側面板６上に貼着される。これにより、折込片１１が配される領域は二つ折りした折込片１１及び側面板６によって積層体を複数（本実施形態では３重）重ねた多重部１５を構成する。
【００２４】
図３は紙容器１を展開したブランク板３０の平面図を示している。ブランク板３０は底面部２を形成する矩形の底面板５を有している。底面板５の一方の対向する２辺には側面板６が折り線２０を介して連設され、他方の対向する２辺には側面板７が折り線２０を介して連設される。側面板６、７は底面板５の各辺から折曲により立設して胴部３（図１参照）を形成する。
【００２５】
側面板６には底面板５に対向して上面フラップ１０が折り線２０を介して連設される。一方の側面板７には底面板５に対向して上面板８が連設され、他方の側面板７には底面板５に対向して上面板９が連設される。上面板８の先端には差込み片８ａが設けられ、上面板９にはスリット９ａが設けられる。差込み片８ａをスリット９ａに差し込むことにより、蓋部４（図１参照）を閉じた状態が保持される。
【００２６】
隣接する側面板６と側面板７との間には折り線２０を介して折込片１１が連設される。折込片１１は底面板５の各頂点を中心とする略扇形に形成され、底面板５の各頂点から延びた折り線２０ａ上で二つ折りされる。
【００２７】
ブランク板３０はマイクロ波の照射により発熱する発熱層３３（図４参照）を配した発熱部Ｈ１と、発熱層３３が非形成の非発熱部Ｈ２とを有している。底面板５の全面は発熱部Ｈ１により形成される。側面板６、７の上端部（底面板５の反対側）は非発熱部Ｈ２により形成され、上端部を除いて発熱部Ｈ１により形成される。また、折込片１１、上面板８、上面板９及び上面フラップ１０は非発熱部Ｈ２により形成される。
【００２８】
このため、収納部１６に面して底面板５上に配される内容物が接する部分のみに発熱部Ｈ１が配される。即ち、胴部３（図１参照）の上端部及び蓋部４（図１参照）は内容物に非接触のため、非発熱部Ｈ２により形成される。また、折込片１１を含む多重部１５（図１参照）は収納部１６に面した最内の側面板６、７のみに発熱部Ｈ１が配され、折込片１１は非発熱部Ｈ２により形成される。
【００２９】
図４はブランク板３０の層構成を示す断面図である。ブランク板３０は紙層３１の内面側に樹脂フィルムの保護層３４が配される。紙層３１は板紙により形成される。紙層３１の坪量は例えば２７０〜５５０ｇ／ｍ2であり、３５０〜４５０ｇ／ｍ2であるとより望ましい。紙層３１の外面上には図柄を表示する印刷層３１ａが印刷により形成される。
【００３０】
保護層３４は例えばポリエチレンテレフタレートの樹脂フィルムにより形成され、内容物の滲み出しを防止する。
【００３１】
保護層３４の外面上の所定部分（側面板６、７及び底面板５）には発熱層３３が形成される。これにより、ブランク板３０は発熱層３３を配した発熱部Ｈ１と発熱層３３を非形成の非発熱部Ｈ２とを有する。
【００３２】
発熱層３３はマイクロ波の照射により発熱する導電性材料により形成される。導電性高分子、導電性カーボン、金属等の導電性材料を含む導電性のインキにより保護層３４上に印刷して発熱層３３を形成することができる。導電性高分子として、ポリアニリン系樹脂、ポリチオフェン系樹脂、ポリアセチレン系樹脂等を用いることができる。
【００３３】
また、保護層３４上にアルミニウム等の金属を蒸着した蒸着膜により発熱層３３を形成してもよい。この時、酸素雰囲気中で蒸着して、金属（例えば、アルミニウム）及び金属酸化物（例えば、酸化アルミニウム）を含む蒸着膜により発熱層３３を形成してもよい。
【００３４】
発熱層３３はテスターの端子を接触して測定される５ｍｍ離れた任意の２点間の抵抗値が０．１ｋΩ以上であることが望ましい。該抵抗値が０．１ｋΩよりも小さい部分が発熱層３３に形成されると、電子レンジによる加熱時にスパークが発生する虞がある。また、発熱層３３はテスターの端子を接触して測定される５ｍｍ離れた２点間の抵抗値が５０ｋΩ以下の部分を有することが望ましい。発熱層３３に該抵抗値が５０ｋΩ以下の部分が形成されないと、発熱層３３の発熱量が低下して後述する輻射熱による加熱が不十分になる。
【００３５】
保護層３４と紙層３１とはドライラミネートにより接着され、アクリル系接着剤やウレタン系接着剤等から成る接着層３２が形成される。
【００３６】
上記構成の紙容器１において、内容物が例えば米の場合に米が収納された収納部１６内に適量の水が注入され、蓋部４を閉じて電子レンジにより調理が行われる。調理が開始されると内容物がマイクロ波により加熱される。また、マイクロ波の照射により発熱層３３が発熱し、内容物が胴部３及び底面板５内に配した発熱層３３の輻射熱により周囲から加熱される。これにより、お焦げを作ることができる。
【００３７】
また、内容物が冷凍食品の場合に、電子レンジによる調理が開始されると内容物がマイクロ波により加熱される。また、マイクロ波の照射により発熱層３３が発熱し、内容物が胴部３及び底面板５内に配した発熱層３３の輻射熱により周囲から加熱される。これにより、内容物は発熱層３３に面した広い範囲が溶解し、溶解した水にマイクロ波が集中する。このため、短時間で内容物の内部まで加熱され、調理時間を短縮できるとともに加熱ムラを防止することができる。
【００３８】
調理中に多重部１５では発熱部Ｈ１が収納部１６に面して最内に配した側面板６、７のみに設けられるため、発熱層３３が重ねられない。これにより、紙層３１を含む積層体から成るブランク板３０の過加熱による発火を防止することができる。
【００３９】
本実施形態によると、マイクロ波の照射により発熱する発熱層３３を紙層３１の内面側に配した発熱部Ｈ１が底面部２及び胴部３に設けられる。このため、内容物がマイクロ波により加熱されるとともに発熱層３３の輻射熱により周囲から加熱される。これにより、食品に焦げ目をつけることができるとともに、冷凍食品の調理時間を短縮して加熱ムラを防止することができる。また、積層体のブランク板３０を複数重ねた多重部１５上の発熱部Ｈ１が収納部１６に面した最内の側面板６（積層体）のみに設けられる。このため、発熱層３３が重ねられず、過加熱によるブランク板３０の発火を防止することができる。尚、側面板７及び底面板５はブランク板３０が一重のため収納部１６に面して最内に配される。
【００４０】
尚、発熱部Ｈ１を底面部２及び胴部３の一方のみに配してもよい。これにより、上記と同様に内容物を発熱層３３の輻射熱により加熱することができる。本実施形態のように発熱部Ｈ１を底面部２及び胴部３の両方に設けると、調理時間をより短縮できるためより望ましい。
【００４１】
また、冷凍食品等の低温の内容物に非接触の胴部３の上端部及び蓋部４が非発熱部Ｈ２により形成される。このため、胴部３の上端部及び蓋部４の過加熱による発火を防止することができる。尚、胴部３の下部の発熱部Ｈ１よりも発熱量の小さい発熱部Ｈ１を胴部３の上端部及び蓋部４に配してもよい。
【００４２】
また、矩形の底面板５の各辺から折曲して立設される側面板６、７を連結する折込片１１が二つ折りして側面板６の外面上に配され、非発熱部Ｈ２により形成される。これにより、収納部１６に面した最内の側面板６のみに発熱部Ｈ１を配した多重部１５を容易に実現することができる。
【００４３】
尚、折込片１１を側面板６に接着しない場合は、二つ折りされた折込片１１により多重部１５が形成される。この時、折込片１１は収納部１６に面していないため、非発熱部Ｈ２により形成される。また、底面板５を矩形以外の多角形により形成し、底面板５の各辺から折曲して立設される側面板６、７を折込片１１により連結してもよい。
【００４４】
また、樹脂フィルムの保護層３４に印刷される導電性のインキによって、マイクロ波の照射により発熱する発熱層３３を容易に形成することができる。
【００４５】
また、樹脂フィルムの保護層３４に形成された金属を含む蒸着膜によって、マイクロ波の照射により発熱する発熱層３３を容易に形成することができる。
【００４６】
＜第２実施形態＞
次に、図５は第２実施形態の紙容器１のブランク板３０の平面図を示している。説明の便宜上、前述の図１〜図４に示す第１実施形態と同様の部分には同一の符号を付している。本実施形態は発熱部Ｈ１の配置が第１実施形態と異なっている。その他の部分は第１実施形態と同様である。
【００４７】
第１実施形態と同様に、折込片１１、上面板８、上面板９及び上面フラップ１０は非発熱部Ｈ２により形成される。
【００４８】
発熱部Ｈ１は側面板６、側面板７及び底面板５上に配される。また、発熱部Ｈ１を配した面（側面板６、側面板７及び底面板５）の周部には非発熱部Ｈ２が配され、周部の発熱部Ｈ１の面積占有率が０になっている。
【００４９】
これにより、側面板６、側面板７及び底面板５の境界の稜線近傍に非発熱部Ｈ２が配され、屈曲して隣接する面上の発熱層３３（図４参照）が離れて配置される。このため、発熱層３３の発熱量を大きくしてもブランク板３０の過加熱を防止することができる。従って、発熱量の大きい発熱層３３を形成し、冷凍食品の調理時間をより短縮して加熱ムラをより防止することができる。
【００５０】
本実施形態によると、第１実施形態と同様の効果を得ることができる。また、発熱部Ｈ１を配した面（側面板６、側面板７及び底面板５）の周部に非発熱部Ｈ２を配したので、発熱量の大きい発熱層３３を形成することができる。従って、冷凍食品の調理時間短縮及び加熱ムラ防止をより図ることができる。
【００５１】
＜第３実施形態＞
次に、図６は第３実施形態の紙容器１のブランク板３０の平面図を示している。説明の便宜上、前述の図１〜図４に示す第１実施形態と同様の部分には同一の符号を付している。本実施形態は発熱部Ｈ１の配置が第１実施形態と異なっている。その他の部分は第１実施形態と同様である。
【００５２】
第１実施形態と同様に、折込片１１、上面板８、上面板９及び上面フラップ１０は非発熱部Ｈ２により形成される。
【００５３】
発熱部Ｈ１は側面板６、側面板７及び底面板５上に配される。側面板６、７の中央部には発熱部Ｈ１が全体に配され、下端部（底面板５側）及び両側端部には発熱部Ｈ１と非発熱部Ｈ２とが交互に配される。側面板６、７の上端部（底面板５の反対側）は非発熱部Ｈ２により形成される。また、底面板５の中央部には発熱部Ｈ１が全体に配され、周部には発熱部Ｈ１と非発熱部Ｈ２とが交互に配される。即ち、発熱部Ｈ１が配された面（側面板６、側面板７及び底面板５）の周部の発熱部Ｈ１の面積占有率が中央部の発熱部Ｈ１の面積占有率よりも小さい。
【００５４】
これにより、側面板６、側面板７及び底面板５の境界の稜線近傍に部分的に非発熱部Ｈ２が設けられ、屈曲して隣接する面の稜線近傍の発熱層３３（図４参照）の面積が小さい。このため、発熱層３３の発熱量を大きくしてもブランク板３０の過加熱を防止することができる。従って、発熱量の大きい発熱層３３を形成し、冷凍食品の調理時間をより短縮して加熱ムラをより防止することができる。
【００５５】
本実施形態によると、第１実施形態と同様の効果を得ることができる。また、発熱部Ｈ１を配した面（側面板６、側面板７及び底面板５）の周部の発熱部Ｈ１の面積占有率が中央部よりも小さいので、発熱量の大きい発熱層３３を形成することができる。従って、冷凍食品の調理時間短縮及び加熱ムラ防止をより図ることができる。
【００５６】
本実施形態において、発熱層３３をドット状に形成し、側面板６、側面板７及び底面板５の中央部に発熱部Ｈ１を密に配して周部に発熱部Ｈ１を粗に配してもよい。
【００５７】
また、第１実施形態と同様に発熱部Ｈ１を配置し、発熱部Ｈ１を配した面内で発熱部Ｈ１の周部の単位面積当たりの発熱量を中央部の単位面積当たりの発熱量よりも小さくしてもよい。単位面積当たりの発熱量の異なる発熱部Ｈ１は、発熱層３３に抵抗値の異なる導電性材料を用いることや、発熱層３３を異なる厚みに形成すること等により実現することができる。
【００５８】
＜第４実施形態＞
次に、図７は第４実施形態の紙容器１のブランク板３０の層構成を示す断面図である。説明の便宜上、前述の図１〜図４に示す第１実施形態と同様の部分には同一の符号を付している。本実施形態は紙層３１にハーフカット３５が設けられる。その他の部分は第１実施形態と同様である。
【００５９】
紙層３１の内面上には多数のハーフカット３５が設けられる。ハーフカット３５は発熱部Ｈ１に設けられ、非発熱部Ｈ２にはハーフカット３５が非形成である。
【００６０】
ハーフカット３５によって発熱層３３に面して多数の微小凹部が形成される。このため、発熱層３３が発熱した際に紙層３１の残留水分がハーフカット３５から成る微小凹部に逃げ、紙層３１のバブリングを防止することができる。尚、紙層３１の内面上の微小凹部をエンボス等により形成してもよい。
【００６１】
本実施形態によると、発熱部Ｈ１が紙層３１の内面上に形成される多数の微小凹部を有するので、発熱層３３の発熱時に紙層３１のバブリングを防止することができる。尚、第２、第３実施形態の紙容器１に同様のハーフカット３５（微小凹部）を設けてもよい。
【００６２】
第１〜第４実施形態において、胴部３の発熱部Ｈ１により内容物を十分加熱できる場合は、底面部２の全体を非発熱部Ｈ２により形成してもよい。また、底面部２の発熱部Ｈ１により内容物を十分加熱できる場合は、胴部３の全体を非発熱部Ｈ２により形成してもよい。
【００６３】
また、底面部２が一の底面板５により形成されるが、複数の底面板により底面部２を形成してもよい。この時、複数の底面板が重なる部分は多重部１５を形成し、多重部１５上の発熱部Ｈ１は最内の積層体のみに設けられる。
【００６４】
また、積層体を環状に曲げ、周方向の両端部を接着して筒状の胴部３を形成してもよい。この時、胴部３上の接着領域は積層体を重ねた多重部１５を形成し、多重部１５上の発熱部Ｈ１は最内の積層体のみに設けられる。
【産業上の利用可能性】
【００６５】
本発明によると、冷凍食品や焦げ目をつける食品を収納して電子レンジにより加熱される電子レンジ加熱用紙容器に利用することができる。
【符号の説明】
【００６６】
１      電子レンジ加熱用紙容器（紙容器）
２      底面部
３      胴部
４      蓋部
５      底面板
６、７  側面板
８、９  上面板
１０      上面フラップ
１１      折込片
１５      多重部
１６      収納部
２０、２０ａ  折り線
３０      ブランク板
３１      紙層
３１ａ    印刷層
３２      接着層
３３      発熱層
３４      保護層
３５      ハーフカット
Ｈ１      発熱部
Ｈ２      非発熱部
【図１】
2019142563.tif 000003
【図２】
2019142563.tif 000004
【図３】
2019142563.tif 000005
【図４】
2019142563.tif 000006
【図５】
2019142563.tif 000007
【図６】
2019142563.tif 000008
【図７】
2019142563.tif 000009